(57)【要約】【課題】  受信したデータ放送番組の画面を快適に操作可能な装置を提供する。【解決手段】  受信方法は、テレビジョン放送を受信する受信工程と、前記受信工程により受信されたテレビジョン放送のデータから、表示画面におけるフォーカス特性情報を有する表示オブジェクトを抽出する抽出工程と、前記表示画面を操作するための複数の操作キーの模様を示すスタイル情報に基づき、前記フォーカス特性情報で指定された表示オブジェクトの表示形態を変更し、前記表示オブジェクトに応じた表示画面を表示する表示工程と、前記操作キーの操作に応じて前記表示画面上のフォーカスを移動する移動工程とを有し、前記表示工程は前記移動工程による前記フォーカスの移動に伴って前記表示オブジェクトの表示形態を変更する。【選択図】  図１
2006121489.tif 000002
【特許請求の範囲】
【請求項１】
テレビジョン放送を受信する受信工程と、
前記受信工程により受信されたテレビジョン放送のデータから、表示画面におけるフォーカス特性情報を有する表示オブジェクトを抽出する抽出工程と、
前記表示画面を操作するための複数の操作キーの模様を示すスタイル情報に基づき、前記フォーカス特性情報で指定された表示オブジェクトの表示形態を変更し、前記表示オブジェクトに応じた表示画面を表示する表示工程と、
前記操作キーの操作に応じて前記表示画面上のフォーカスを移動する移動工程とを有し、
前記表示工程は前記移動工程による前記フォーカスの移動に伴って前記表示オブジェクトの表示形態を変更することを特徴とする受信方法。
【請求項２】
テレビジョン放送を受信する受信工程と、
前記受信工程により受信されたテレビジョン放送のデータから、表示画面におけるフォーカス特性情報を有する表示オブジェクトを抽出する抽出工程と、
前記表示画面を操作するための複数の操作キーに割り当てられた番号に基づき、前記フォーカス特性情報で指定された表示オブジェクトの近傍に前記番号を付加して、前記表示オブジェクトに応じた表示画面を表示する表示工程と、
前記操作キーの操作に応じて前記表示画面上のフォーカスを移動する移動工程とを有し、
前記表示工程は前記移動工程による前記フォーカスの移動に伴って前記表示オブジェクトの表示形態を変更することを特徴とする受信方法。
【発明の詳細な説明】
【技術分野】
【０００１】
本発明は受信方法に関し、特にデジタルＴＶ放送に含まれるデータ放送の処理に関する。
【背景技術】
【０００２】
従来のアナログ放送に代わり、近年、デジタルＴＶ放送が始まっている。デジタル放送では、通常のテレビ番組のほかに、データ放送と呼ばれる番組を放送波に多重して送信している（例えば、特許文献１参照）。データ放送対応受信機では、通常の放送番組に加えて、データ放送の受信も可能であり、受信された放送データは、受信機内のブラウザを介してユーザに提示される。その際、表示の一意性の確保から、リモコン操作のための情報（フォーカス特性情報等）は放送局側から送られてきた情報のみによって決定される。
【特許文献１】特開平９−１８２０３８号公報
【発明の開示】
【発明が解決しようとする課題】
【０００３】
前述の様に、デジタルデータ放送番組の表示画面はどの表示装置で視聴しても同一になる。そのためブラウザ内の表示画面が煩雑になった場合、どのユーザもリモコンを介して直感的にブラウザ操作するのに、データ放送番組で使用される一律のフォーカス情報のみでは不充分である。
【０００４】
本発明はこの様な問題を解決し、受信したデータ放送番組の画面を快適に操作可能な装置を提供することを目的とする。
【課題を解決するための手段】
【０００５】
本発明は、テレビジョン放送を受信する受信工程と、前記受信工程により受信されたテレビジョン放送のデータから、表示画面におけるフォーカス特性情報を有する表示オブジェクトを抽出する抽出工程と、前記表示画面を操作するための複数の操作キーの模様を示すスタイル情報に基づき、前記フォーカス特性情報で指定された表示オブジェクトの表示形態を変更し、前記表示オブジェクトに応じた表示画面を表示する表示工程と、前記操作キーの操作に応じて前記表示画面上のフォーカスを移動する移動工程とを有し、前記表示工程は前記移動工程による前記フォーカスの移動に伴って前記表示オブジェクトの表示形態を変更することを特徴とする。
【発明の効果】
【０００６】
本発明によれば、操作キーに応じた形態にてオブジェクトを表示することで、ユーザのフォーカス移動の操作が簡単になる。
【発明を実施するための最良の形態】
【０００７】
（第１の実施形態）
本実施例は、ユーザが図１に示されるリモコン１００を用いてブラウザ101を操作する状況を想定している。図３にブラウザ１０１の機能モジュールを示す。ブラウザ101は、デジタルデータ放送対応ブラウザであり、リモコン100や放送局から送信されるイベントに応じて動作するイベント駆動型ブラウザである、このブラウザ101は放送テータとして送信されてくる情報に基づき画面構成をおこなう。データ放送番組は連動型と独立型の2種類に大きく分かれるが、ブラウザ101はその両方での使用が考えられる。リモコン100には少なくともブラウザ中のフォーカスを移動させるための選択キーを持つ。図１では、上下左右4方向の模様（色）の異なる選択キーを持つリモコンとして表現してある。
【０００８】
放送データ内には構造化テータ102、スタイルシート103の他、動画、静止画等のモノメティアデータが含まれる。構造化データ１０２にはデータ放送番組の構成が記されており、スタイルシート103には動画、静止画やテキストデータのスタイル情報やレイアウト情報等が記述されている。リモコンの操作情報（フォーカス特性情報）104もスタイルシート103に記述される。一方、構造化データ102とスタイルシート103は一つのデータとして存在することがある。以下の説明では、スタイルシート103が構造化データ102内が存在する場合も、独立したスタイルシート103として説明を行う。
【０００９】
本形態によって実現できるリモコン操作によるブラウザ内の表示オブジェクト選択機能について述べる。通常、データ放送番組ではフォーカス特性（ナビゲーション属性情報）を持つ表示オブジェクトの中の１つにフォーカスが当たり、選択された状態となっている（図１）。ユーザはリモコン１００の４方向の選択キーのみで、フォーカス特性を持つ特定の表示オブジェクトにフォーカスを移していく。フォーカスの移動する方向はフォーカス特性情報内に記述されている。一方、表示オブジェクト間のレイアウト位置は、必ずしもリモコン選択キーの4方向と一致しているわけではなく、ユーザにとっては直感的にわかりずらい場合が想定できる。本形態では、図２の様にフォーカスが当たっている表示オブジェクトの周りに、選択キーの模様（色）と一致したスタイル（選択キー用スタイル）を持つ表示オブジェクトが現れる。ユーザがある選択キーを押すと、その選択キーの模様と一致する表示オブジェクトにフォーカスが移る。そしてフォーカスが移動すると同時に、選択キー用スタイルも次に選択キーが押された場合に移る表示オブジェクトに対して適用される。この機能は、ブラウザ画面ではわかりずらい表示オブジェクト間のナビゲーションを補助する働きをするため、結果としてユーザのリモコンによるブラウザの操作性を向上させることになる。
【００１０】
表示オブジェクト選択機能の実現方法を説明する。
【００１１】
ブラウザ101はあらかじめリモコンからの信号を受け取る手段と、押されたリモコンキーを認識する手段を持つ。同時にリモコン選択キーの模様（色）と同じ模様を表現したスタイル情報をあらかじめ内部に持つ、或いは前述スタイル情報を生成する手段を持つ。図３にブラウザ101内の機能モジュール図を記した。矢印は各機能モジュール問の処理の流れを示している。106は復号された放送データ105中の構造化データ102及びスタイルシート103のパース(構文解析・オブジェクト化)を行うパース部である。パースされた放送データは蓄積部107内に展開される。この時点で構造化データ１０２及びスタイルシート103は、オブジェクトデータとして蓄積部107内に存在する。また、このオブジェクトデータは外部モジュールからアクセス可能であり、同時に変更・更新ができる状態にある。スタイル情報付加部108は、醤積部107内にオブジェクトとして存在するスタイルシート103にアクセスし、以下の処理を行う。
【００１２】
・フォーカス特性を持つ表示オブジェクトを抽出する、
・抽出した各表示オブジェクトに対して、ブラウザ独自の選択キー用スタイルシートを適用する。
【００１３】
スタイル情報付加部108は、まずフォーカス特性情報を持つ表示オブジェクトをスタイルシート103内から抽出し、抽出した全ての表示オブジェクトに対してプラウザ独自の選択キー用スタイルシートを適用する。つまり、スタイルシート１０３のオプジェクトデータ内に、各表示オブジェクトの選択キー用スタイルシートを新たに付加することになる。その後、ハンドラ部１１０によって取り出された構造化データ102及びスタイルシート103のオブジェクトデータは、組版処理された後、各モノメディアデータと共にレンダラ部１１１に渡される。そしてユーザに提示された時点で、ブラウザ101はイベント待ち状態となる。この時点で、フォーカスが当たっている表示オプジェクトのフォーカス特性で示されている表示オブジェクトには、既に選択キー用スタィルが適用されている。
【００１４】
図４にイベント待ち状態にあるブラウザ101のリモコン選択キーが押された際の動作手順を記した。
【００１５】
以下に各工程の説明を記した。
【００１６】
4-1：イベント待ち状態時にリモコンキーが押されるとキー種に応じたイベント割り込みが生じる。選択キーが押されると選択イベント割り込みが発生する。
【００１７】
4-2：選択キーが押されるとハンドラ部109は蓄積部108内にあるスタイルシートのオブジェクトデータにアクセスし、フォーカスが当たっている表示オブジェクトのフォーカス特性情報を取得する。フォーカス特性情報に押された選択キーの情報がない場合は、再びイベント待ち状態となる。
【００１８】
以下4A-3〜4A-4の工程と4A-5〜4A-6の工程の処理順序は前後してもよい。
【００１９】
4-3：フォーカス特性情報には選択キーに対応した適切なフォーカス移動方向が記述されているため、その情報に従いフォーカスの移動を行う。
【００２０】
4-4：この時点では、まだユーザに見える形でのフォーカス移動の提示はなされていない。ハンドラ部109は再び蓄積部108内のスタイルシートのオブジェクトデータにアクセスし、フォーカスが外れた表示オプジェクトの通常時のスタイル情報と、フォーカスが当たった表示オブジェクトのブラウザ独自のフォーカス用スタイル情報を取得する。
【００２１】
4-5：4A-2にてフォーカスが当たっている表示オプジェクトのフォーカス特性情報を取得し、移動すべき表示オブジェクトが判明した段階で、ハンドラ部109は再び蓄積部108内のスタイルシートのオブジェクトデータにアクセスし、前述移動すべき表示オブジェクトのフォーカス特性情報を取得する。次に選択キーが押された際のフォーカス移動方向を把握する。
【００２２】
4-6：この時点では、まだユーザに見える形で選択キー用スタイルの提示はなされていない。ハンドラ部109は再び蓄積部108内のスタイルシートのオブジェクトデータにアクセスし、選択キー用スタイルが外れた表示オプジェクトの通常時のスタイル情報と、選択キー用スタイルが適用される表示オブジェクトのブラウザ独自のフォーカス用スタイル情報を取得する。
【００２３】
4-7：4A-4及び4A-6にて取得したスタイル情報をレンダラ部111へ渡しユーザに提示する。フォーカスが外れた表示オブジェクトには通常時のスタイルが適用され、フォーカスが当たった表示オブジェクトにはフォーカス用のスタイルが適用される。また、選択キー用スタイルが外れた表示オブジェクトには通常時のスタイルが適用され、選択キー用スタイルが当たった表示オブジェクトには選択キー用のスタイルが適用される。
【００２４】
4-8：再びイベント待ち状態となる。
【００２５】
抽出した各表示オブジェクトに対して、スタイル情報付加部108が適用したブラウザ独自の選択キー用スタイルシートは、以上に示したブラウザ１０１の動作手順内で随時参照されることで、ブラウザ内の表示オブジェクト選択機能をユーザに提供できる。なお、上記実施例のリモコンにこの表示オブジェクト選択機能を有効にするかどうかのキーを用意することで、ユーザが好みや番組の状況に応じて前述表示オブジェクト選択機能の使用を決めることもできる。
【００２６】
（第２の実施形態）
本実施形態は、ユーザが図５に示されるリモコン２００を用いて、ブラウザ201を操作する状況を想定している。ブラウザ201は第1の実施形態のブラウザ101と同様の特徴を持つ。リモコン200は少なくともブラウザ中のフォーカスを移動させるための選択キーと番号キーをもつ。図５では、4方向の選択キーと０〜9までの番号キーを持つリモコンとして表現してある。放送テータ内のコンテンツテータは、構造化データ202、スタイルシート203の他、動画・静止画等のモノメディアデータから構成される。構造化データ202とスタイルシート203は第1の実施形態の構造化データ１０２とスタイルシート103と同様の特徴を持つ。構造化テータ202とスタイルシート203は一つのデータとして存在することがあるが、以下の説明では、スタイルシート203が構造化テータ202内が存在する場合も、独立したスタイルシート203として説明を行う。
【００２７】
本実施形態によって実現できるリモコン操作によるブラウザ内の表示オブジェクト選択機能について説明する。
【００２８】
本実施形態では図５の様に各々の表示オブジェクト毎に番号がつけられる。ユーザがある番号キーを押すと、その番号キーの番号と一致する番号が付加されている表示オブジェクトにフォーカスが移る。この機能により、選択キーでフォーカスを移動していく操作を省略することができるため、ユーザのリモコンによるブラウザの操作性を向上させることになる。
【００２９】
表示オブジェクト選択機能の実現方法を説明する。
【００３０】
ブラウザ201はあらかじめリモコンからの信号を受け取る手段と、押されたリモコンキー（番号）を認識する手段を持つ。
【００３１】
図６にブラウザ201内の機能モジュール図を記した。矢印は各機能モジュール問の処理の流れを示している。205は復号された放送テータ204中の構造化データ202及びスタイルシート203のパース(構文解析・オブジェクト化)を行うパース部である。パースされた放送データは蓄積部206内に展開される。この時点で、構造化データ202及びスタイルシート203は、オブジェクトデータとして蓄積部206内に存在する。また、このオブジェクトデータは外部モジュールからアクセス可能であり、同時に変更・更新ができる状態にある。番号情報付加部207は、蓄積部206内にオブジェクトとして存在するスタイルシート２０３にアクセスし、以下の処理を行う。
【００３２】
・フォーカス特性を持つ表示オブジェクトを抽出する。
【００３３】
・抽出した各表示オブジェクトに対して蕃号を割り当てる。
【００３４】
・抽出した各表示オブジェクト上に番号を表示させる為に、構造化データ及びスタイルシートを書き換える。
【００３５】
番号情報付加部207は、まずフォーカス特性（ナビゲーション属性）を持つ表示オブジェクトをスタイルシート203内から抽出する。フォーカス特性を持つ表示オブジェクトのみにフォーカスが当たる。次に抽出した全ての表示オブジェクトに異なる番号を割り当てる。割り当てる順序は、オブジェクトの出現順やレイアウトがブラウザ201画面の上部にある順などが考えられる。その後、割り当てた番号を表示オブジェクトと共にユーザに提示するために、構造化データ202に番号情報を付加する。また、番号情報を表示オブジェクトと重ねて表示するためにスタイルシート203を書き換える。その後、ハンドラ部208によって取り出された構造化データ202及びスタイルシート203のオプジェクトデータは、組版処理された後、各モノメティアチータと共にレンダラ部209に渡される。そしてユーザに提示された時点で、ブラウザ201はイベント待ち状態となる。この時点でプラウザ201画面上の表示オブジェクトには、番号情報付加部207が付加した番号が一緒に表示されている。
【００３６】
図７にリモコン番号キーが押された際のイベント待ち状態にあるプラウザ101の動作手順を記した。
【００３７】
ユーザがブラウザ上の表示オブジェクトに付随している番号を基に、リモコンの番号キーを選ぶ。
【００３８】
7-1：イベント待ち状態時にリモコンキーが押されるとキーに応じたイベント割り込みが生じる。番号キーが押されると番号イベント割り込みが発生する。
【００３９】
7-2：押された番号に対応する表示オブジェクトを特定する。対応する表示オブジェクトがない場合は、再びイベント待ち状態となる。
【００４０】
7-3：対応する衷示オブジェクトヘのフォーカスの移動を行う。
【００４１】
7-4：この時点では、まだユーザに見える形でのフォーカス移動の提示はなされていない。ハンドラ部208は蓄積部207内のスタイルシートのオプジェクトデータにアクセスし、フォーカスが外れた表示オブジェクトの通常時のスタイル情報と、フォーカスが当たった表示オブジェクトのブラウザ独自のフォーカス用スタィル情報を取得する。
【００４２】
7-5：7-4にて取得したスタイル情報をレンダラ部209へ渡しユーザに提示する。フォーカスが外れた表示オプジェクトには通常時のスタイルが適用され、フォーカスが当たった表示オプジェクトにはフォーカス用のスタイルが適用される.
7-6：再びイベント待ち状態となる。
【００４３】
番号情報付加部207は、蓄積部206内のオプジェクトデータの書き換えを行い、そのオプジェクトデータを以上に示したブラウザ101の動作手順内で随時参照することで、上述したブラウザ内の表示オブジェクト選択機能をユーザに提供できる。
【００４４】
なお、リモコンにこの表示オブジェクト選択機能を有効にするかどうかのキーを用意することで、ユーザが好みや番組の状況に応じて前述表示オブジェクト選択機能の使用を決めることもできる。
【図面の簡単な説明】
【００４５】
【図１】本発明が適用されるリモコンと受信画面の様子を示す図である。
【図２】本発明が適用されるリモコンと受信画面の様子を示す図である。
【図３】ブラウザの機能モジュールを示す図である。
【図４】ブラウザの処理手順を示す図である。
【図５】本発明が適用されるリモコンと受信画面の様子を示す図である。
【図６】ブラウザの機能モジュールを示す図である。
【図７】ブラウザの処理手順を示す図である。
【図１】
2006121489.tif 000003
【図２】
2006121489.tif 000004
【図３】
2006121489.tif 000005
【図４】
2006121489.tif 000006
【図５】
2006121489.tif 000007
【図６】
2006121489.tif 000008
【図７】
2006121489.tif 000009